(57)【要約】      （修正有）【課題】遮蔽効果の高いマスクを提供する。【解決手段】顔の一部を被覆可能な布帛部２及び耳掛け部３を備えるマスクであって、布帛部に設けられた開閉可能なポケット５と、ポケットの中に脱着可能に収容されてなるフィルターシートとしてメルトブローン不織布６とを備え、洗浄によって繰り返し使用できると共に、メルトブローン不織布の入れ替えによって新たに高い遮蔽性を有する。【選択図】図１
0003227263.tif 000002
【実用新案登録請求の範囲】
【請求項１】
顔の一部を被覆可能な布帛部及び耳掛け部を備えるマスクであって、
不織布によって形成されてなると共に、前記布帛部が少なくとも鼻及び口を被覆する保護領域に脱着可能に装着されたフィルターシートと、を備える
ことを特徴とするマスク。
【請求項２】
前記布帛部に設けられた開閉可能なポケットと、
前記フィルターシートが、前記ポケットの中に収容されて前記布帛部に取付けられてなる
ことを特徴とする請求項１に記載のマスク。
【請求項３】
前記フィルターシートが、前記布帛部の表面との間に介在する粘着層によって貼付されてなる
ことを特徴とする請求項１に記載のマスク。
【請求項４】
前記フィルターシートがメルトブローン不織布である
ことを特徴とする請求項１〜３のいずれか１つに記載のマスク。
【請求項５】
前記フィルターシートが目付１５〜３５ｇ／ｍ２である
ことを特徴とする請求項１〜４のいずれか１つに記載のマスク。
【請求項６】
前記フィルターシートに、ナノプラチナ粒子及びカテキンが混在した状態で塗布されてなる
ことを特徴とする請求項１〜５のいずれか１つに記載のマスク。
【請求項７】
前記フィルターシートに、ナノプラチナ粒子及びカテキンが混在した状態で練り込まれてなる
ことを特徴とする請求項１〜５のいずれか１つに記載のマスク。
【請求項８】
前記布帛部は、絹、綿、または麻によって形成されてなる
ことを特徴とする請求項１〜７のいずれか１つに記載のマスク。
【請求項９】
前記布帛部は、ガーゼである
ことを特徴とする請求項１〜８のいずれか１つに記載のマスク。
【考案の詳細な説明】
【技術分野】
【０００１】
本考案は、マスクに関する。
【背景技術】
【０００２】
風邪などの疾患を患った患者が、咳などにより口や鼻から病原菌が外気へ放出されることを防止するため、若しくは、花粉症を有する者が外気に飛散している花粉などのアレルギー源を体内へ取り込まないようにするためなど、体調維持を目的としてマスクは重要な役割を担っている。
【０００３】
さらにマスクの重要な役割として、ウイルスなどの微細な病原体を体内に取り込まないことがある。このような機能を備えるには、遮蔽効果の高い不織布でマスクを製造する必要がある。
【先行技術文献】
【特許文献】
【０００４】
【特許文献１】特開２０１７−１５０１１９号公報
【考案の概要】
【考案が解決しようとする課題】
【０００５】
しかし、感染能力が高いウイルスなどによる疫病が広がると、人々が遮蔽効果の高い高機能なマスクを一斉に買い求めるために、これら高機能なマスクが市場において入手困難となりやすくなる傾向がある。そして、高機能マスクが入手できない人々は、ガーゼなどで製造された遮蔽効果の低いマスクで代用しなければならないという問題があった。
【課題を解決するための手段】
【０００６】
そこで、上記課題を解決するための手段として本考案に係るマスクは、顔の一部を被覆可能な布帛部及び耳掛け部を備えるマスクであって、不織布によって形成されてなると共に、前記布帛部が少なくとも鼻及び口を被覆する保護領域に脱着可能に装着されたフィルターシートと、を備えることを特徴とする。
【０００７】
また、前記布帛部に設けられた開閉可能なポケットと、前記フィルターシートが、前記ポケットの中に収容されて前記布帛部に取付けられてなることとしても好ましい。
【０００８】
さらに、フィルターシートが、前記布帛部の表面との間に介在する粘着層によって貼付されてなることとしても好ましい。粘着層は、あらかじめフィルターシートに取り付けられてなる粘着シートによって構成されるものであることが好ましい。粘着シートは、フィルターシートを布帛部に貼付する前の状態においては剥離紙が粘着層表面に取り付けられてなることで取り扱いを容易とすることができる。そして、フィルターシートを布帛部に貼付する際に剥離紙を剥がして粘着層を露出させてフィルターシートを布帛部に貼付することで所望の位置に貼付することが容易となる。また、粘着層は、フィルターシートの外縁部にのみ設けることで、布帛部の保護領域には粘着層を設けずにフィルターシートの貼付を可能とすることができる。粘着層がフィルターシートの前面に設けられてなると、マスクの装着者が粘着層をも介して呼吸を行う必要があり、息苦しさを生じさせるが、粘着層がフィルターシートの外縁部に設けられることでこのような息苦しさの発生を回避することができるからである。なお、フィルターシートが貼付される布帛部の表面は、マスクを顔に装着した際に、外表面となる面でもよく、また、鼻や口と接する内表面であってもよい。
【０００９】
また、粘着層をフィルターシートの外縁部に設ける際には、フィルターシートの左右縁部に帯状に設ける、若しくは上下縁部に帯状に設けることが好ましい。このような粘着層の介在であっても十分にフィルターシートと布帛部との取付け強度を確保することができると共に、剥離紙を剥がす操作なども容易となるからである。
【００１０】
フィルターシートは、メルトブローン不織布であることが好ましい。メルトブローン不織布として目付１５〜３５ｇ／ｍ２のものを使用することが好ましい。これにより、布帛部のみでは口腔及び鼻腔への侵入を防ぎきれない微細な花粉や細菌などの侵入を抑制することができるからである。さらに、メルトブローン不織布として目付２０〜２５ｇ／ｍ２のものを使用することがより好ましい。これにより、微粒子補修効率（ＰＦＥ）、細菌ろ過効率（ＢＦＥ）、及びウイルスろ過効率（ＶＦＥ）を９５％程度期待することができ、顔の一部を被覆する部分が、絹、綿、または麻のみからなるマスクと比較してＰＦＥ、ＢＦＥ、及びＶＦＥを飛躍的に高めることができる。メルトブローン不織布は、メルトブローン法によって形成された樹脂短繊維によって構成されてなるものである。メルトブローン不織布は、ポリプロピレン繊維若しくはナイロン繊維が含まれてなるものが好ましい。またメルトブローン不織布の平均孔径は、０．５〜２０μｍであることが好ましい。さらに、メルトブローン不織布の繊維径は、０．５〜１０μｍであることが好ましい。
【００１１】
ポケットは、少なくとも布帛部が鼻と口を覆う部分を被覆する位置に設けられてなる。ポケットにはメルトブローン不織布を出し入れすることができる開口が設けられてなる。ポケットの開口は、収容したメルトブローン不織布がマスク使用時に脱落しないようにポケット内部の収容空間から上方に向けて形成されてなることが好ましいが、側方に向けて形成されてもよい。また、収容したメルトブローン不織布がマスク使用時に脱落しないよう開口にボタンやファスナーなどの閉塞構造が設けられている場合や、前記閉塞構造がなくともポケット内において、布帛部との摩擦力によりメルトブローン不織布を保持可能であれば、開口を下方に向けて形成してもよい。
【００１２】
また、前記メルトブローン不織布に、ナノプラチナ粒子及びカテキンが混在した状態で塗布されてなることとしても好ましい。メルトブローン不織布への塗布は、ナノプラチナ粒子及びカテキンの混合水溶液にメルトブローン不織布を浸漬させて乾燥させることで行うことが好ましい。また、メルトブローン不織布に対して、ナノプラチナ粒子及びカテキンの混合水溶液を噴霧により吹き付けたのちに乾燥させることとしてもよい。なお、ナノプラチナ粒子及びカテキンの混合水溶液に代えて、他の溶媒を用いた混合溶液を用いることも可能である。
【００１３】
さらに、フィルターシートに、ナノプラチナ粒子及びカテキンが混在した状態で練り込まれてなることが好ましい。たとえば、フィルターシートは不織布であるため、フィルターシートの製造時に溶融された原料樹脂にナノプラチナ粒子及びカテキンが混合された状態として、フィルターシートを繊維状に吐出、乾燥させることでナノプラチナ粒子及びカテキンが混在した状態で練り込まれてなるフィルターシートを形成することができる。このとき、フィルターシートがメルトブローン不織布であることでナノプラチナ粒子及びカテキンが混在した状態で練り込ませることを容易に行うことができるため、より好ましい。また、フィルターシートの原料樹脂にはポリプロピレン樹脂などを使用することが好ましい。
【００１４】
また、ナノプラチナ粒子は粒径が２ｎｍ〜２０ｎｍであることが好ましく、より好ましくは粒径が２ｎｍ〜１０ｎｍ、さらに好ましくは粒径が２ｎｍ〜５ｎｍであることが好ましい。粒径が小さいほど、消臭効果に対するナノプラチナ粒子の触媒効果の増強を図ることができるからである。
【００１５】
また、前記布帛部は、絹、綿、または麻によって形成されてなることが好ましい。絹、綿、または麻はシート状の織物として製造が容易であるからである。さらに、前記布帛部は、織物としてのガーゼであっても好ましい。
【考案の効果】
【００１６】
本考案によれば、従来からあるガーゼマスクなどにメルトブローン不織布の遮蔽性、すなわち、マスクの外部から、細菌やウイルスが口腔及び鼻腔に侵入することを抑制する抗菌・抗ウイルス効果を、マスク使用時に追加的に付加することができる。また、マスクの使用が終わって顔からマスクを外した後は、メルトブローン不織布を布帛部から取り外したあと、布帛部は耳掛け部と共に洗浄することができ、繰り返し使用することができる。洗浄した後の布帛部には、ポケットに新しいメルトブローン不織布を収容することによって遮蔽性を新たに付加することができる。
【００１７】
また、メルトブローン不織布にナノプラチナ粒子及びカテキンが混在した状態で塗布又は練り込まれることによって、本考案に係るマスクに抗菌・抗ウイルス効果のみならず、消臭効果を付加することができる。
【図面の簡単な説明】
【００１８】
【図１】第一の実施形態に係るマスク１の布帛部２及び耳掛け部３の構造の概略を示す斜視図である。
【図２】メルトブローン不織布６の外形の一例を示す図である。
【図３】メルトブローン不織布６をポケット５に挿し入れて収容しようとする様子を示す図である。
【図４】第一の実施形態に係るマスク１の布帛部２の中央位置における縦断面図である。
【図５】第二の実施形態に係るマスク１の概略を示す斜視図である。
【図６】第三の実施形態に係るマスク１のポケット５にメルトブローン不織布６を挿し入れた状態を示す背面図である。
【図７】第三の実施形態に係るマスク１において布帛部２の内部にメルトブローン不織布６の両端まで入れ込んだ状態を示す背面図である。
【図８】第四の実施形態におけるメルトブローン不織布６の外形の一例を示す図である。
【図９】第四の実施形態において、メルトブローン不織布６を布帛部２の外表面に貼付ける様子を示す図である。
【図１０】第四の実施形態において、メルトブローン不織布６が貼付されたマスク１の外表面側からの外観を示す図である。
【考案を実施するための形態】
【００１９】
以下、本考案に係る実施の形態を、図を参照しながら詳しく説明する。なお、本明細書及び図面において、実質的に同一の機能構成を有する構成要素については、同一の符号を付することにより重複説明を省略する。
【００２０】
図１は、第一の実施形態に係る本考案に係るマスク１の内側部から見た全体の概要を示す斜視図である。マスク１は、顔の一部を被覆可能な布帛部２と、布帛部２の両側縁に取り付けられた耳掛け部３，３を備える。布帛部２は、表側布部２１と内側布部２２とが前後に重ね合わされて上端縁以外の周縁が互いに縫着されてなると共に、上端縁において開口４を形成してなる。このような構造を構成することにより、布帛部２は、表側布部２１と内側布部２２との間に開閉可能な開口４を備えた収容空間を有するポケット５を形成する。マスク１は、内側布部２２を顔表面に当てて、耳掛け部３，３を耳に掛け回すことによって顔に装着することができる。
【００２１】
さらに、マスク１を構成するものとして、図２に示すようなメルトブローン不織布６が、フィルターシートとして布帛部２のポケット５内に収容可能に形成されてなる。メルトブローン不織布６の目付は２０〜２５ｇ／ｍ２のものを用いることが好ましい。なお、メルトブローン不織布６には、図２に示すようにナノプラチナ粒子Ｐ及びカテキンＫが混在した状態で塗布されていても好ましい。本実施の形態によれば、メルトブローン不織布６への塗布は、ナノプラチナ粒子Ｐ及びカテキンＫの混合水溶液にメルトブローン不織布を浸漬させて乾燥させることにより行った。メルトブローン不織布６にナノプラチナ粒子Ｐ及びカテキンＫが混在した状態で塗布されることによって、マスク１に抗菌・抗ウイルス効果のみならず、消臭効果を付加することができる。
【００２２】
マスク１は、図３に示すように、使用時にメルトブローン不織布６を開口４から挿し入れてポケット５に収容することができる。メルトブローン不織布６がポケット５の収容空間に収容されたことにより、図４に示すように、マスク１は表側布部２１と内側布部２２との間にメルトブローン不織布６からなる遮蔽効果の高い遮蔽層を備えることができる。なお、ポケット５に収容されたメルトブローン不織布６は、マスク外部からの花粉や細菌、好ましくはウイルスの侵入を防ぐために、マスクを装着した使用者の鼻と口を被覆して保護することができる保護領域に対応する位置に装着されてなる。これにより、布帛部２が綿を素材とするガーゼによって形成されてなり、布帛部２自体には高い遮蔽性を備えるものでない場合であっても、ガーゼよりも遮蔽性の高いメルトブローン不織布６の遮蔽性を、マスク１の使用時に追加的に付加することができる。
【００２３】
また、マスク１の使用が終わって顔からマスク１を外した後は、メルトブローン不織布６をポケット５の開口４から取り出したあと、布帛部２は耳掛け部３と共に洗浄することができ、繰り返し使用することができる。洗浄した後の布帛部２には、ポケット５の収容空間に新しいメルトブローン不織布６を収容することによって遮蔽性を新たに付加することができる。
【００２４】
また、第二の実施の形態として、図５に示すような、布帛部２の内側面２ａにポケット５が取り付けられてなる形態であってもよい。
【００２５】
さらに、第三の実施の形態として、図６に示すように、布帛部２が表側布部２１と内側布部２２とが前後に重ね合わされて全周縁において互いに縫着または接着などがなされた構造であってもよい。そして、内側布部２２には左右方向に離間した位置に、縦方向に沿って形成されたスリット４１，４２が設けられてなる。スリット４１，４２は、布帛部２の外部と表側布部２１と内側布部２２との間に形成された収容空間とを連通させて、ポケット５を形成する。メルトブローン不織布６は、スリット４１，４２のいずれからでもポケット５内へ挿し入れることができ、内側布部２２の中央部分２２ａがメルトブローン不織布６を下方から保持することによって下方への脱落を防止することができる。
【００２６】
また、ポケット５は、スリット４１，４２よりも左右外方にも表側布部２１と内側布部２２との間に収容空間を形成してなる。これにより、メルトブローン不織布６がスリット４１，４２の離間距離よりも横幅が広いシートに形成されてなるものであっても、図７に示すように、内側布部２２の左右外縁部２２ｂを引き伸ばしてメルトブローン不織布６の両端を入れ込むことで、メルトブローン不織布６の全体をポケット５に完全に収容することができる。
【００２７】
これにより、側方からスリット４１，４２を介してメルトブローン不織布６を挿し入れた場合にも、マスク１の使用中に不意にメルトブローン不織布６がポケット５から抜け落ちることを防止することができる。
【００２８】
本考案に係るマスク１によれば、従来からあるガーゼマスクなどにメルトブローン不織布６の遮蔽性を、マスク１の使用時に追加的に付加することができる。また、マスク１の使用が終わって顔からマスク１を外した後は、メルトブローン不織布６を布帛部２から取り出したあと、布帛部２は耳掛け部３と共に洗浄することができ、繰り返し使用することができる。洗浄した後の布帛部２には、ポケット５に新しいメルトブローン不織布６を収容することによって遮蔽性を新たに付加することができる。
【００２９】
また、第四の実施形態において、マスク１は、図９，１０に示すように、メルトブローン不織布６が布帛部２の外表面に貼付けられたものであってもよい。この実施形態においては、メルトブローン不織布６の両側縁部に粘着シート７が設けられてなり、当該粘着シート７の粘着面を布帛部２の外表面に押し当てて貼り付けることができる。なお、メルトブローン不織布６が貼付される布帛部２の表面は、マスクを顔に装着した際に、外表面となる面でもよく、また、鼻や口と接する内表面であってもよい。本実施の形態においては、図９，１０において、メルトブローン不織布６は布帛部２の外表面に貼り付けた場合が示されている。
【００３０】
なお、メルトブローン不織布６は、マスク外部からの花粉や細菌、好ましくはウイルスの侵入を防ぐために、布帛部２の外表面において、マスクを装着した使用者の鼻と口を被覆して保護することができる保護領域に対応する位置に貼付されてなる。
【００３１】
また、第四の実施形態においては、図８に示すように、粘着シート７の粘着面には予め剥離紙８が取り付けられてなりメルトブローン不織布６を布帛部２に取り付ける直前以前においては粘着面を保護しておくことが好ましい。これにより、メルトブローン不織布６を取り扱う際に、不意に粘着シート７が手などに粘着して作業を阻害することを防止することができる。
【００３２】
メルトブローン不織布６を布帛部２に貼り付ける際には図８に示すように、剥離紙８を粘着シート７から剥がして粘着面を露出させてから貼り付ける。
【００３３】
このようにメルトブローン不織布６を布帛部２の外表面に貼付け可能とすることによって、ポケット５を有しない従来の布製マスクにもフィルターシートとしての機能を後付けで付加することができる。
【符号の説明】
【００３４】
１  マスク
２  布帛部
２１  表側布部
２２  内側布部
３  耳掛け部
４  開口
５  ポケット
６  メルトブローン不織布
【図１】
0003227263.tif 000003
【図２】
0003227263.tif 000004
【図３】
0003227263.tif 000005
【図４】
0003227263.tif 000006
【図５】
0003227263.tif 000007
【図６】
0003227263.tif 000008
【図７】
0003227263.tif 000009
【図８】
0003227263.tif 000010
【図９】
0003227263.tif 000011
【図１０】
0003227263.tif 000012